(57)【要約】【課題】パウチ容器において、例えば搬送時の外力などによって開封されてしまう事故を防止しやすく、開封後には、内容物の注出や詰替などが容易となるようにする。【解決手段】対向されたフィルムシートの外周部にシール部が形成され、このシール部で囲まれた未シール部１ａの間に、内容物が充填され、シール部を開封して注出口が形成できるパウチ容器であって、先端部シール部１ｑ、側部シール部１ｐ、１ｒによって、三方が囲まれた凸状部１ｄと、凸状部１ｄの先端部側の表面に連続して設けられ、側部シール部１ｐ、１ｒにこれらを横断することなく延在された線状の溝からなるハーフカット線１ｇと、側部シール部１ｐ、１ｒにおいて、ハーフカット線１ｇの端部に交差するとともに、側部シール部１ｐ、１ｒの一部を側方からそれぞれ切り取って側部シール部１ｐ、１ｒを縮幅させるためのミシン目部１ｈとを備える。【選択図】図２
2009057092.tif 000002
【特許請求の範囲】
【請求項１】
厚さ方向に対向されたフィルムシートの外周部にシール部が形成され、該シール部で囲まれた未シール部の間に、内容物が充填され、前記シール部の一部を開封可能に設けたパウチ容器であって、
前記シール部によって、先端部および両側部の三方が囲まれた前記未シール部で形成された凸状部と、
該凸状部の前記先端部側の表面に連続して設けられるとともに、前記凸状部の前記両側部を囲むシール部に該シール部を横断することなく延在された線状の溝からなる開封誘導線と、
前記凸状部の側部のシール部において、前記開封誘導線の端部に交差するとともに、前記側部のシール部の一部を側方からそれぞれ切り取って前記側部のシール部を縮幅させるための切り取り誘導線とを備えることを特徴とするパウチ容器。
【請求項２】
前記切り取り誘導線は、複数の貫通孔もしくは溝穴が、点線状または破線状に配列されてなることを特徴とする請求項１に記載のパウチ容器。
【請求項３】
前記切り取り誘導線の一方は、
前記凸状部の突出方向に交差するとともに、前記凸状部の側方のシール部の外縁部まで横断して設けられたことを特徴とする請求項１または２に記載のパウチ容器。
【発明の詳細な説明】
【技術分野】
【０００１】
本発明は、容易に開封して、内容物の注出口を形成することができるパウチ容器に関する。例えば、詰替用液体などの内容物を瓶容器などの開口部に挿入して注出することができる注出口を形成することができるパウチ容器に関する。
【背景技術】
【０００２】
従来、液体などの流動性を有する内容物を収める容器として、複数のフィルムシートを熱シールし、開封時には端部に設けられた開封部を開けるようにしたパウチ容器が用いられている。開封部は、シール部の側端部にノッチやミシン目を設けたり、シール部と未シール部とにまたがってハーフカット線などを設けたりすることで、使用者がはさみやカッターなどを用いることなく、容易に開封できるようになっている場合が多い。このようなパウチ容器は、瓶容器などに比べて軽量であり、使用後の廃棄も容易となるため、例えば、瓶容器の内容物の詰替用パックなどとして広く用いられている。
このような詰替用のパウチ容器は、迅速かつ効率的に詰め替えを行うことができるように、瓶容器の開口部にちょうど出し入れできるような注出口を有していた。
例えば、特許文献１には、積層フィルム製の袋の上端の中央部に上側に向けて突出された狭い幅の注出口部が設けられたスタンディングパウチ形式の注出口部付き袋が記載されている。
また、特許文献２には、包装袋の上端の隅部に外側に突出した凸状の注出用ノズルを設け、この注出用ノズルの先端部がカット可能に設けられた詰替用包装袋が記載されている。
また、特許文献３には、袋の上端部から斜め上方向に延びる注出口形成部が設けられた詰替え用袋が記載されている。
【特許文献１】特開２００７−６９９８４号公報
【特許文献２】特開２００７−８４１０６号公報
【特許文献３】特開２００７−６９９３０号公報
【発明の開示】
【発明が解決しようとする課題】
【０００３】
しかしながら、上記の従来のパウチ容器には、以下のような問題があった。
特許文献１〜３に記載の技術では、いずれも、開封後に注出口となる注出口部がパウチ容器の外側に突出されているため、例えば瓶容器などの開口部に容易に挿入できるものの、これらの注出口部が突出されているため、製造時の搬送や、輸送時の梱包などにおいて、取り扱いが不便になるという問題がある。
また、注出口部は、瓶容器の開口に近い開口を有するため、シール部の幅が狭くなっており、開封部が端部に突出されていることと相俟って、搬送時などに外力を受けて開封されてしまうおそれがあるという問題もある。
【０００４】
本発明は、上記のような問題に鑑みてなされたものであり、例えば搬送時の外力などによって開封されてしまう事故を防止しやすく、開封後には、内容物の注出や詰替などが容易となるパウチ容器を提供することを目的とする。
【課題を解決するための手段】
【０００５】
上記の課題を解決するために、請求項１に記載の発明では、厚さ方向に対向されたフィルムシートの外周部にシール部が形成され、該シール部で囲まれた未シール部の間に、内容物が充填され、前記シール部の一部を開封可能に設けたパウチ容器であって、前記シール部によって、先端部および両側部の三方が囲まれた前記未シール部で形成された凸状部と、該凸状部の前記先端部側の表面に連続して設けられるとともに、前記凸状部の前記両側部を囲むシール部に該シール部を横断することなく延在された線状の溝からなる開封誘導線と、前記凸状部の側部のシール部において、前記開封誘導線の端部に交差するとともに、前記側部のシール部の一部を側方からそれぞれ切り取って前記側部のシール部を縮幅させるための切り取り誘導線とを備える構成とする。
この発明によれば、切り取り誘導線を順次切断していくことにより、凸状部の側部のシール部の一部を切り取って、側部のシール部を縮幅させることができる。そして、開封誘導線と交差する位置まで、切り取り誘導線を切り取ると、開封誘導線の端部との交差位置から開封誘導線に沿って切断を行うことができる。開封誘導線はシール部と未シール部上に連続しているので、シール部、未シール部、他方の側部におけるシール部まで、順次切断することができる。これにより凸状部が開封誘導線に沿って開封される。
さらに、続けて、他方の側部において開封誘導線の端部と交差する切り取り誘導線の端部から切り取り誘導線に沿ってシール部を切断することができる。これにより、凸状部の他方の側部を囲むシール部の一部が切り取られ、シール部の幅が縮幅される。
このように周囲が切り取られた凸状部により、例えば瓶容器などの開口部に挿入しやすい注出口が形成される。
また、開封誘導線が、凸状部の側部を囲むシール部を横断しないため、切り取り誘導線が切断されない限り、開封誘導線が切断されないので、例えば、搬送時などの外力によって容易には開封されないようにすることができる。
また、フィルムシートの厚さ方向に貫通できない開封誘導線の長さを短くすることができるので、製造が容易となる。
【０００６】
請求項２に記載の発明では、請求項１に記載のパウチ容器において、前記切り取り誘導線は、複数の貫通孔もしくは溝穴が、点線状または破線状に配列されてなる構成とする。
この発明によれば、切り取り誘導線が、複数の貫通孔もしくは溝穴が、点線状または破線状に配列され、いわゆるミシン目状に設けられるので、ハーフカット線などに比べて、外力が作用しても、全線にわたって切り取り誘導線が切断される可能性を低減することができる。
【０００７】
請求項３に記載の発明では、請求項１または２に記載のパウチ容器において、前記切り取り誘導線の一方は、前記凸状部の突出方向に交差するとともに、前記凸状部の側方のシール部の外縁部まで横断して設けられた構成とする。
この発明によれば、凸状部の一方の側部には、凸状部の側方のシール部の外縁部側から、凸状部の突出方向に交差する方向に延び、さらに凸状部の側部に沿って延びる切り取り誘導線によって切り取られるシール部の部分が設けられる。このため、切り取り誘導線を切断する際に、容器の外縁部を容易につかんで切断していくことができる。
また、開封前に、凸状部の側方にこのようなシール部の部分が設けられるので、パウチ容器の搬送などの際に、凸状部の近傍がつかみやすくなり、予め注出口を形成する凸状部の周りのシール部が幅狭に形成されている場合に比べて取り扱いが容易となる。
【発明の効果】
【０００８】
本発明のパウチ容器によれば、凸状部の側方に設けられたシール部および凸状部の先端部に形成された、切り取り誘導線および開封誘導線によって、凸状部の周囲のシール部を切り取るとともに、先端部を開封して、注出口を形成することができるので、シール部によって保護されることで、例えば搬送時の外力などによって開封されてしまう事故を防止しやすく、開封後には、凸状部の周りのシール部の一部が切り取られることで、内容物の注出や詰替などが容易となるという効果を奏する。
【発明を実施するための最良の形態】
【０００９】
以下では、本発明の実施形態に係るパウチ容器について添付図面を参照して説明する。  図１は、本発明の実施形態に係るパウチ容器を示す模式的な斜視図である。図２は、本発明の実施形態に係るパウチ容器を構成する袋体の概略構成を示す模式的な正面図である。図３（ａ）、（ｂ）は、それぞれ図２におけるＡ−Ａ断面図およびＢ−Ｂ断面図である。図４（ａ）、（ｂ）は、それぞれ本発明の実施形態に係るパウチ容器に用いる流路保持部材を示す正面図および下面図である。図５（ａ）、（ｂ）は、本発明の実施形態に係るパウチ容器のシール部および未シール部上に設けられた開封誘導線の模式的な断面図である。図６は、本発明の実施形態に係るパウチ容器の開封誘導線の製造方法を説明するための模式的な工程説明図である。
【００１０】
本実施形態のスタンディングパウチ１００（パウチ容器）は、図１、２に示すように、フィルムシートを対向させて外周部をシールすることにより上端側に開口された充填口部１Ａと、開封可能に封止された注出口部１Ｂとを有する袋体１（図２参照）を形成し、袋体１の充填口部１Ａから未シール部で囲まれた充填空間１Ｄに、例えば、液体洗剤、シャンプー、化粧品、芳香剤などの液体や流動体などの内容物１０１を充填したのち、充填口部１Ａをシールして、充填口シール部３を形成してなる容器であり、底部１Ｅによって自立可能とされている。
以下、各部の構成について、内容物１０１を充填する前の袋体１において説明する。
【００１１】
袋体１は、図２に示すように、フィルムシートを折り畳んで、周縁部をシールしたもので（シール部部分はハッチングにて図示している）、厚さ方向に対向する未シール部１ａの両側部に設けられた側面シール部１ｂと、底部１Ｅを形成する底面シール部１ｃとを備え、一方の側面シール部１ｂ（以下、注出口側の側面シール部１ｂと称する）の上端側には、注出口部１Ｂが形成され、注出口部１Ｂと他方の側面シール部１ｂ（以下、充填口側の側面シール部１ｂと称する）の端部の間には、上側に開口する充填口部１Ａが形成されてなる。
【００１２】
袋体１に用いるフィルムシートは、パウチ容器用の適宜のフィルムシートを採用することができるが、例えば、基材層、接着剤層、シーラント層がこの順に積層された多層フィルムを採用することができる。また、必要に応じて、ガスバリア性を付与したり各種機械的強度を向上させたりするための中間層や、印刷を行うための印刷層を、これらの間に適宜積層させることができる。
【００１３】
基材層としては、例えば、二軸延伸ポリプロピレンフィルム、二軸延伸ポリエステルフィルム、二軸延伸ナイロンフィルム、防湿セロファン、二軸延伸ポリエステルフィルムの片面に酸化珪素、酸化アルミニウムなどの無機酸化物の蒸着薄膜層、ガスバリア性被膜層を積層したガスバリアフィルムなどを採用することができる。
【００１４】
また、接着剤層としては、熱接着を行うためのポリウレタン系接着剤、例えば、水酸基を持った主剤とイソシアネート基を持った硬化剤とを２液混合して使用する２液型を採用することができる。積層方法としては、周知のグラビアコート方式を採用することができる。
また、シーラント層としては、ポリオレフィン系樹脂若しくはポリオレフィン系樹脂フィルムを採用することができる。ポリオレフィン系樹脂としては、例えば、低密度ポリエチレン樹脂、中密度ポリエチレン樹脂、直鎖状低密度ポリエチレン樹脂、エチレン・酢酸ビニル共重合体樹脂などのエチレン系樹脂や、ホモポリプロピレン樹脂、プロピレン・エチレンランダム共重合体樹脂、プロピレン・エチレンブロック共重合体樹脂、ポリプロピレン・α−オレフィン共重合体樹脂などのポリプロピレン系樹脂などが挙げられる。
積層方法としては、周知の溶融押出法あるいはドライラミネーション法を採用することができる。
【００１５】
また、中間層としては、無延伸ナイロンフィルム、アルミニウム箔、エチレン・ビニルアルコール共重合体フィルム、塩化ビニリデンフィルム、ポリビニルアルコールフィルム、アクリルフィルム等の単層フィルム、あるいはこれら単層フィルムを積層した積層フィルム、塩化ビニリデン系樹脂コートセロファン、アルミニウム蒸着ポリエステルフィルム、アルミニウム蒸着ポリプロピレンフィルム、無機酸化物蒸着ポリエステルフィルムなどの多層フィルムを挙げることができる。
積層方法としては、公知のドライラミネーション法等を採用することができる。
【００１６】
各側面シール部１ｂは、フィルムシートの側端部を各シーラント層側で互いに対向させて熱接着したもので、本実施形態では、一例として、略平行線状に形成されている。
底面シール部１ｃは、底面を形成するフィルムシートを、シーラント層が互いに対向するように側面視逆Ｙ字状に折り畳んで、各側面シール部１ｂの延長上で、それらの折り畳み部の側方の端部を熱接着するとともに、それらの正面視中間部に残された一対の折り畳み部において、未シール部１ａが下方に張り出す円弧状もしくは半楕円状に残されるように、各折り畳み部を熱接着したものである。
これにより、対向する折り畳み部を水平方向に開くと、折り畳み部間に側面視山形に折り畳まれた未シール部１ａが水平方向に開いて紡錘状または楕円状の底面が形成され、両側面の未シール部１ａとともに、内容物１０１を充填するための立体的な充填空間１Ｄが形成される。
【００１７】
注出口部１Ｂは、図２、３に示すように、注出口側の側面シール部１ｂと充填口部１Ａの間、すなわち、スタンディングパウチ１００の上端側の一方の端部側において、注出口側の側面シール部１ｂから上側に延在される側部シール部１ｐ、側部シール部１ｐの上端部から水平方向に延びる先端部シール部１ｑ、および先端部シール部１ｑの端部から下方に延びる側部シール部１ｒから構成されるコ字状の凸状部シール部１Ｃと、この凸状部シール部１Ｃによって三方を囲まれた未シール部１ａによって、先端部シール部１ｑ側に向かって突出された凸状部１ｄとからなる。
本実施形態では、凸状部シール部１Ｃの外形線は、注出口側の側面シール部１ｂおよび充填口シール部３の外形の延長線から突出することなく略整列され、正面視では矩形の角部を形成している。
【００１８】
凸状部１ｄは、注出口側の側面シール部１ｂの上側に向かって周囲のシール部から斜め方向に突出されている。また、本実施形態では、凸状部１ｄを形成する対向された未シール部１ａは、エンボス成形されることで対向方向外側に膨出されている。
また、一方の凸状部１ｄの内面側に流路保持部材２が固定されている。
【００１９】
凸状部シール部１Ｃは、側部シール部１ｐ、１ｒの一部および各凸状部１ｄの表面において、互いに表裏で略整列する位置に設けられた複数のハーフカット線１ｇ（開封誘導線）と、これら複数のハーフカット線１ｇの両端部にそれぞれ交差するとともに、凸状部１ｄの側部に沿って適宜間隔を空けた線上に延ばされ、また凸状部１ｄの基端部側ではそれぞれ側部シール部１ｐ、１ｒの外縁部に交差する線上にそれぞれ沿って延ばされたミシン目部１ｈ（切り取り誘導線）とを備える。
ミシン目部１ｈは、側部シール部１ｐ、１ｒを線状に容易に切断するための手段であり、本実施形態では、側部シール部１ｐ、１ｒの厚さ方向にそれぞれ貫通する線状の貫通孔（切れ目）が、それぞれ所定間隔をおいて破線状に複数配列されてなる。
各貫通孔間の間隔は、各シール部の強度に応じて、使用者が手で容易に切断できる程度の間隔に設定する。
また、各貫通孔の形状は、線状に限定されるものではなく、例えば、点線状または破線状に配列される円孔、長円孔、楕円孔、菱形孔などからなっていてもよい。
また、ミシン目部１ｈは、切断が容易であれば各貫通孔に代えて、例えば、プレス加工やハーフカット加工などによって同様の平面視形状の、厚さ方向に貫通しない溝穴が配列されたものであってもよい。
【００２０】
ここで、ミシン目部１ｈが、ハーフカット線１ｇに交差するとは、ミシン目部１ｈの貫通孔もしくは溝穴がハーフカット線１ｇと交差するという意味である。
これに対して、側部シール部１ｐ、１ｒの外縁部におけるミシン目部１ｈは、ミシン目部１ｈの貫通孔もしくは溝穴が側部シール部１ｐ、１ｒの外縁と交差している状態に形成されていてもよいし、貫通孔もしくは溝穴が配列ピッチ以下の距離で外縁に近接している状態に形成されていてもよい。
いずれの場合でも、少なくとも切断を開始する側の側部シール部１ｐ、１ｒの外縁には、ミシン目部１ｈの端部の概略位置を示すとともに、切断をより容易化するために、例えばＵ字状、Ｖ字状などのノッチ部１ｆを設けることが好ましい。
本実施形態では、切断の開始する側である側部シール部１ｐの外縁部に、Ｕ字状の切欠きからなるノッチ部１ｆを設けている。
【００２１】
このような注出口部１Ｂは、各ミシン目部１ｈ、ハーフカット線１ｇに沿って、凸状部シール部１Ｃを切断、開封した後に、袋体１内の内容物１０１を注出する注出口を形成するものである。
したがって、例えば、瓶などに、内容物１０１を詰め替えるといった用途では、詰め替えが容易となるように、開封後の、凸状部１ｄ、および凸状部１ｄの側部に残される側部シール部１ｐ、１ｒは、注出先の瓶の開口に容易に挿入できるような寸法、形状に形成しておく。
【００２２】
各凸状部１ｄの形状は、図２に示す正面視において、中央部に注出口部１Ｂの先端側（上端側）に向かってわずかに先細りする略半円錐台状の凸部が形成され、その周囲が、平坦な未シール部１ａに向かって滑らかに傾斜する形状とされている。
すなわち、図３（ａ）に示すように、流路保持部材２の先端部では、流路保持部材２の形状に略沿う半円状の断面を有し、注出口部１Ｂの軸方向である流路保持部材２の軸方向の断面では、図３（ｂ）に示すように、流路保持部材２の軸方向長さを短底辺（上底）とする台形状の断面を有する。
【００２３】
流路保持部材２は、図４（ａ）、（ｂ）に示すように、略半円筒部材の外側面に、補強用として、周方向に沿う複数のリブ２ｂを設けられるとともに、外側面の中心において周方向の両端面に平行な平面からなる固定部２ｃが軸方向に延ばされてなる部材であり、開封後に、注出口部１Ｂの開口が完全につぶれるのを防止するための補強部材である。
そして、流路保持部材２は、固定部２ｃにおいて、凸状部１ｄと熱接着により固定されている。
流路保持部材２の材質は、凸状部１ｄを形成するフィルムシートと接着可能な適宜のプラスチック材料を採用することができる。
【００２４】
ハーフカット線１ｇは、注出口部１Ｂにおける凸状部１ｄの凸状の先端側において、側部シール部１ｐ、１ｒの一部およびその間の凸状部１ｄを横切って、フィルムシートの外側表面に連続して設けられた線状の溝であり、注出口部１Ｂにおける開封誘導線を構成している。
本実施形態のハーフカット線１ｇは、互いに平行な３本が近接して設けられている。ただし、この配列パターンは一例であって、複数のハーフカット線１ｇの配列パターンについては周知の適宜パターンを採用することができる。例えば、線状をなす幅が狭い帯状の領域で、互いに交差するパターンとしてもよいし、互いに対向するフィルムシートの間で交差するようにしてもよい。
また、帯状の領域や、各ハーフカット線１ｇは、直線状であってもよいし、曲線状であってもよい。
ハーフカット線１ｇが互いに平行な直線状に設けられていない場合、複数のハーフカット線１ｇの延在方向は、複数のハーフカット線１ｇが分布する帯状の領域の中心線で表すものとする。
【００２５】
各ハーフカット線１ｇの溝の深さは、一定としてもよいが、本実施形態では、側部シール部１ｐ、１ｒ上では、深さｄ１（ただし、ｄ１＜ｔ、ｔはフィルムシートの厚さ）（図５（ａ）参照）、凸状部１ｄ上では、深さｄ２（ただし、ｄ２＜ｄ１）（図５（ｂ）参照）とされている。
ただし、凸状部１ｄの幅の製作上のバラツキによって、凸状部１ｄ上で溝深さがｄ２以上になることを確実に防止するために、凸状部１ｄの近傍の注出口シール部１ｅ側には、深さがｄ２以上ｄ１以下となる溝深さが漸増する領域を備えるようにしてもよい。
これにより、凸状部１ｄ上に比べて、側部シール部１ｐ、１ｒ上に延在されたハーフカット線１ｇの方がより容易に切断されるようになっている。
【００２６】
また、本実施形態では、各ハーフカット線１ｇは、流路保持部材２の中心軸２Ａに対して斜めに交差しており、開封後に凸状部１ｄの切り口が、注出口側の側面シール部１ｂ側で先細り形状になるように設けられている。すなわち、図２において、流路保持部材２の中心軸２Ａに対して、時計回りに鈍角となる角度で交差している。
これにより、スタンディングパウチ１００を、凸状部１ｄが突出する斜め方向から傾斜角を増大させて水平方向に向けて傾けて、内容物１０１の注出する際、内容物１０１を下方から受ける側に凸状部１ｄの切り口が先細り状に張り出すことになり、内容物１０１は、凸状部１ｄの切り口の傾斜に沿って、円滑に注出できるようになっている。
【００２７】
なお、ハーフカット線１ｇは、図示では模式的に表している。例えば、図５（ａ）、（ｂ）では、溝断面をＶ字状溝で表しているが、溝断面は、Ｕ字状やコ字状でもよいし、非常に幅が狭い線状の切れ目としてもよい。
また、図３（ｂ）では、溝が、凸状部１ｄの表面に直交する向きに図示されているが、図３（ｂ）のように、凸状部１ｄが傾斜面になっている部分では、表面に対して斜め方向に溝が形成されていてもよい。
【００２８】
このようなハーフカット線１ｇは、例えば、レーザ光照射などによって形成することができる。
例えば、フィルムシートをエンボス成形して各凸状部１ｄを形成し、凸状部１ｄの一方に流路保持部材２を熱接着して固定する。そして、周知の製袋装置を用いて、フィルムシートを折り畳んで、袋体１の形状を形成し、フィルムシートが対向した周縁部を熱接着して、側面シール部１ｂ、底面シール部１ｃ、および凸状部シール部１Ｃを形成する。これにより、ハーフカット線１ｇ、ミシン目部１ｈを除いた袋体１が形成される。
このため、ハーフカット線１ｇを形成する位置での袋体１の断面は、図６に示すように、側部シール部１ｐ、１ｒの間に、未シール部である凸状部１ｄが、厚さ方向の外側にそれぞれ張り出された形状を有している。
【００２９】
ハーフカット線１ｇを形成するには、レーザ光Ｌの焦点位置を一方の注出口シール部１ｅの表面から一定深さの位置に合わせ、レーザ光Ｌの光強度Ｐと走査速度Ｖとをこの一方の側部シール部１ｐ、１ｒ上で深さｄ１の線状の溝が形成されるように設定して、レーザ光Ｌを走査する。
このようにして、レーザ光を走査すると、注出口シール部１ｅ上では、溝の深さがｄ１のハーフカット線１ｇが形成される。
一方、走査されるレーザ光Ｌが一方の凸状部１ｄ上に到達すると、この凸状部１ｄは、厚さ方向においてレーザ光源側に突出しているため、凸状部１ｄ上では、レーザ光Ｌは、デフォーカスして走査される。このため、側部シール部１ｐ、１ｒ上よりは、単位面積当たりのレーザ光強度が低下するため、デフォーカス量に応じて、加工量が低下し、溝深さは深さｄ１より浅い深さｄ２に形成される。詳しく言えば、深さｄ２は、凸状部１ｄの突出高さが高いほど浅くなるように変化し、いずれの位置でも、深さｄ１よりも浅い深さとなる。
【００３０】
本実施形態のスタンディングパウチ１００は、次のようにして開封し、注出口を形成することができる。
図７は、本発明の実施形態に係るパウチ容器の開封動作を説明する模式説明図である。
【００３１】
スタンディングパウチ１００を開封するには、側部シール部１ｐにおいて、ミシン目部１ｈより凸状部１ｄの先端側を指などで把持して、ノッチ部１ｆから、凸状部シール部１Ｃを切り取っていく。ノッチ部１ｆの底部または底部近傍にはミシン目部１ｈの貫通孔または溝穴が設けられているため、ノッチ部１ｆからミシン目部１ｈに沿って容易に切断していくことができる。これにより、図７に示すように、側部シール部１ｐには、外形線Ｓ１が形成され、凸状部１ｄの側方には、縮幅された側部シール部１ｐの一部が残される。
【００３２】
側部シール部１ｐのミシン目部１ｈがすべて切断されると、ミシン目部１ｈの端部は、ハーフカット線１ｇの端部と交差しているため、ハーフカット線１ｇに外力が加わり、ハーフカット線１ｇのいずれかが容易に切断され、ハーフカット線１ｇに沿って徐々に開封されていく。
凸状部１ｄ上のハーフカット線１ｇは、溝深さが浅くなっているため、未開封時には、側部シール部１ｐ上よりも強度が強くなっている。そのため、外力が凸状部１ｄ上のハーフカット線１ｇに加わっても、ある程度の強度を保持しており、液漏れなどが起こりにくくなっている。
一方、ハーフカット線１ｇは、側部シール部１ｐおよび凸状部１ｄ上で連続しているため、開封時には、側部シール部１ｐが切断された段階で、凸状部１ｄの端部のハーフカット線１ｇに切れ目（亀裂）が形成されている。そのため、この切れ目を進展させることで、ハーフカット線１ｇの切断を容易に進行させることができる。
よって、凸状部１ｄおよび側部シール部１ｒ上のハーフカット線１ｇが順次切断され、切り口である外形線Ｓ２が形成され注出口部１Ｂが開封される。
【００３３】
また、側部シール部１ｒ上のハーフカット線１ｇは、側部シール部１ｒ上のミシン目部１ｈの端部と交差しているので、交差位置からミシン目部１ｈが順次切断され、外形線Ｓ３が形成され、凸状部１ｄの側方には、縮幅された側部シール部１ｒの一部が残される。ミシン目部１ｈの終端まで切断されると、凸状部シール部１Ｃがコ字状に切り取られ本体から除去される。
これにより、凸状部１ｄの先端が開封され、側方にわずかに側部シール部１ｐ、１ｒが残された凸状の注出口が形成される。そして、このように開封された注出口部１Ｂから、内容物１０１を、例えば詰替用の相手容器などに容易に注出することができる。
また、注出口部１Ｂは、流路保持部材２を備えるため、注出中も対向する凸状部１ｄ間が潰れることがなく、安定した注出を行うことができる。
【００３４】
この注出口は、凸状部１ｄの形状や、ミシン目部１ｈの配列形状を適宜設定することで、注出する相手容器の開口に応じて挿入しやすい注出口を形成することができる。例えば、開口より十分細い注出口を形成したり、先端では開口よりも細く、基端では、開口に略跨るような先細りの形状とし挿入姿勢を安定させることができる形状としたりすることができる。
一方、開封前は、凸状部シール部１Ｃによって、凸状部１ｄの周囲が覆われているので、例えば、細長い形状などであっても、十分な強度が得られる。
また、開封前は、凸状部１ｄの周囲に凸状部シール部１Ｃが形成されているため、凸状部１ｄの先端側や側方を把持しやすく、搬送などに好都合である。
また、凸状部１ｄの側方の側部シール部１ｐは、側面シール部１ｂから内方に入り、凸状部１ｄの下方側に延びる形状に形成されるので、この側部シール部１ｐをしっかりつかんで開封することができる。そのため、手による開封作業が容易となる。
【００３５】
また、ミシン目部１ｈを順次切断してからでないと開封できないので、このような開封を行うために一定の方向に安定して作用する以外の外力、例えば搬送時などで偶発的に任意方向に短時間作用するような外力などによって、容易には開封されないようになっており、液漏れなどの事故を低減できる。
また、凸状部１ｄが、凸状部シール部１Ｃによって覆われ、外形が側面シール部１ｂや充填口シール部３の外形線に略整列されているため、開封前のスタンディングパウチ１００の外形を簡素化することができる。そのため、輸送や梱包の邪魔になる突出部や引っ掛かりやすい形状を有しないため、輸送や梱包が容易となる。
【００３６】
なお、上記の説明では、パウチ容器として、底部に、底面シール部１ｃを備えることにより自立性を有するスタンディングパウチの場合の例で説明したが、上記のような注出口部を有していれば、自立性を有しないパウチ容器であってもよい。
【００３７】
また、上記の説明では、流路保持部材２が１個の場合の例で説明したが、他方の凸状部１ｄにも同様な流路保持部材２を設けて、管状の流路が確実に保持される注出口部を形成してもよい。
また、例えば、フィルムシートに十分な剛性があり、注出に支障がない場合には、注出口部１Ｂは、流路保持部材２を削除してエンボス成形された凸状部１ｄのみの構成としてもよい。さらに、注出時に十分な開口を確保することができる場合には、凸状部１ｄのエンボス加工も省略してもよい。
【００３８】
また、上記の説明では、注出口部１Ｂが、略矩形状の角部に形成された場合の例で説明したが、注出口部１Ｂの外形はこのような角部には限定されず、輸送や梱包の支障とならない適宜凸形状の範囲に形成することができる。
【００３９】
また、上記の説明では、切り取り誘導線がミシン目によって形成された場合の例で説明したが、搬送時などに想定される開封動作以外の外力によって容易に切り取りが行われない程度の強度を有する場合には、開封誘導線と同様なハーフカット線や、線状に連続する溝などによって形成してもよい。
【図面の簡単な説明】
【００４０】
【図１】本発明の実施形態に係るパウチ容器を示す模式的な斜視図である。
【図２】本発明の実施形態に係るパウチ容器を構成する袋体の概略構成を示す模式的な正面図である。
【図３】図２におけるＡ−Ａ断面図およびＢ−Ｂ断面図である。
【図４】本発明の第１の実施形態に係るパウチ容器に用いる流路保持部材を示す正面図および下面図である。
【図５】本発明の第１の実施形態に係るパウチ容器のシール部および未シール部上に設けられた開封誘導線の模式的な断面図である。
【図６】本発明の実施形態に係るパウチ容器の開封誘導線の製造方法を説明するための模式的な工程説明図である。
【図７】本発明の実施形態に係るパウチ容器の開封動作を説明する模式説明図である。
【符号の説明】
【００４１】
１  袋体
１Ｂ  注出口部
１Ｃ  凸状部シール部
１Ｄ  充填空間
１ａ  未シール部
１ｄ  凸状部
１ｆ  ノッチ部
１ｇ  ハーフカット線（開封誘導線）
１ｈ  ミシン目部（切り取り誘導線）
１ｐ、１ｒ  側部シール部
１ｑ  先端部シール部
２  流路保持部材
３  充填口シール部
１００  スタンディングパウチ
１０１  内容物
Ｌ  レーザ光
【図１】
2009057092.tif 000003
【図２】
2009057092.tif 000004
【図３】
2009057092.tif 000005
【図４】
2009057092.tif 000006
【図５】
2009057092.tif 000007
【図６】
2009057092.tif 000008
【図７】
2009057092.tif 000009